(57)【特許請求の範囲】
【請求項１】
底部および前記底部から上方に立設される一対の側壁部を有し上側に上側開放部を有する下側ハウジングと、前記上側開放部を塞ぐように前記下側ハウジングの上側に取り付けられる上側カバーと、前記下側ハウジングの外部に露出する外端部および前記外端部から延設され前記下側ハウジングの内部に露出する内端部を有し、前記下側ハウジングに保持される導電端子と、を備え、前側から後側に向かって挿入されるプラグコネクタを収納可能な収納空間が形成されているジャックコネクタであって、
前記導電端子は、前記内端部から前記下側ハウジングの上側に突出するように延設された延設部を備え、
前記上側カバーは、前記延設部が圧入される係止部を備えていることを特徴とするジャックコネクタ。
【請求項２】
前記上側カバーは、レーザを透過可能な透光性を有する合成樹脂により形成されるとともに、前記下側ハウジングは、前記上側カバーよりも光吸収性を有する合成樹脂により形成され、
前記上側カバーは、前記延設部が圧入されるとともに、前記下側ハウジングに溶着されていることを特徴とする請求項１に記載のジャックコネクタ。
【請求項３】
前記係止部は、前記延設部がくい込むように圧入される
ことを特徴とする請求項１または２に記載のジャックコネクタ。
【請求項４】
前記下側ハウジングの一対の側壁部の各々に複数の前記導電端子が並設されており、
前記上側カバーは、
複数の前記導電端子の各々に圧入される複数の前記係止部を周壁部に備える
ことを特徴とする請求項１から３のいずれか一項に記載のジャックコネクタ。
【発明の詳細な説明】
【技術分野】
【０００１】
本発明は、電気機器に使用される電気信号中継用のジャックコネクタに関し、特に、防水性を備えた小型のジャックコネクタに関する。
【背景技術】
【０００２】
近年、スマートフォン等の電気機器において、防水性を備えた小型のジャックコネクタが要求されている。
【０００３】
防水性を備えた小型のジャックコネクタとして、例えば、特許文献１のジャックが開示されている。図６は、特許文献１に記載されたジャック１００の分解斜視図である。ジャック１００では、カバー部材（上側カバー）１１１をケース（下側ハウジング）１１０に対してレーザ溶着にて取り付けていた。また、図６に示すように、ケース１１０の前側にはキャップ部材１１２を備えている。ケース１１０には、カバー部材１１１が溶着される第１の面１１０ｅが平面状に形成されている。カバー部材１１１が、少なくともケース１１０に連続して溶着されることにより一体化されているので、ケース１１０とカバー部材１１１との境界面のシール性を安定させることができる。
【０００４】
なお、ジャックコネクタの小型化に伴って、第１の面１１０ｅの溶着できる面積が少なくなっているため、レーザ溶着されたカバー部材１１１が剥がれやすくなってきている。この場合、レーザ溶着だけでは、過大な力でプラグコネクタをこじったときにカバー部材（上側カバー）１１１が剥がれてしまう可能性があるので、これとは別に金属製の補強部材等を、カバー部材（上側カバー）１１１を覆うように取り付けることがあった。
【先行技術文献】
【特許文献】
【０００５】
【特許文献１】登録実用新案第３１８００３１号公報
【発明の概要】
【発明が解決しようとする課題】
【０００６】
しかしながら、金属製の補強部材等を用いて上側カバーの剥がれを防止する構造にしようとすると、ジャックコネクタの部品点数が増えてしまう、という問題があった。
【０００７】
本発明は、上述した課題を解決するもので、部品点数を増やすことなく上側カバーの取付強度を高めることができるジャックコネクタを提供することを目的とする。
【課題を解決するための手段】
【０００８】
本発明は、底部および前記底部から上方に立設される一対の側壁部を有し上側に上側開放部を有する下側ハウジングと、前記上側開放部を塞ぐように前記下側ハウジングの上側に取り付けられる上側カバーと、前記下側ハウジングの外部に露出する外端部および前記外端部から延設され前記下側ハウジングの内部に露出する内端部を有し、前記下側ハウジングに保持される導電端子と、を備え、前側から後側に向かって挿入されるプラグコネクタを収納可能な収納空間が形成されているジャックコネクタであって、前記導電端子は、前記内端部から前記下側ハウジングの上側に突出するように延設された延設部を備え、前記上側カバーは、前記延設部が圧入される係止部を備えていることを特徴とする。
【０００９】
この構成によれば、導電端子は下側ハウジングの上側に突出するように延設された延設部を備え、上側カバーは係止部を備えているので、延設部が係止部に圧入されることによって上側カバーの剥がれを防止することができる。したがって、部品点数を増やすことなく上側カバーの取付強度を高めることができる。
【００１０】
また、本発明のジャックコネクタにおいて、前記上側カバーは、レーザを透過可能な透光性を有する合成樹脂により形成されるとともに、前記下側ハウジングは、前記上側カバーよりも光吸収性を有する合成樹脂により形成され、前記上側カバーは、前記延設部が圧入されるとともに、前記下側ハウジングに溶着されていることを特徴とする。
【００１１】
この構成によれば、上側カバーは延設部が圧入されるとともに下側ハウジングに溶着されているので、上側カバーの取付強度をより高めることができる。
【発明の効果】
【００１２】
本発明によれば、導電端子は下側ハウジングの上側に突出するように延設された延設部を備え、上側カバーは係止部を備えているので、延設部が係止部に圧入されることによって上側カバーの剥がれを防止することができる。したがって、部品点数を増やすことなく上側カバーの取付強度を高めることができるジャックコネクタを提供することができる。
【図面の簡単な説明】
【００１３】
【図１】本発明の実施形態のジャックコネクタを示す斜視図である。
【図２】本発明の実施形態のジャックコネクタを示す説明図であり、図２（ａ）は上側カバーを斜め下方から見た斜視図であり、図２（ｂ）は上側カバー以外を斜め上方から見た斜視図である。
【図３】本発明の実施形態のジャックコネクタを示す分解斜視図である。
【図４】本発明の実施形態のジャックコネクタを示す平面図である。
【図５】図４のＶ−Ｖ線で切断した断面図である。
【図６】従来のジャックの分解斜視図である。
【発明を実施するための形態】
【００１４】
［第１実施形態］
以下、本発明の実施の形態について図面を用いて詳細に説明する。なお、分かりやすいように、図面は寸法を適宜変更している。
【００１５】
図１は、本発明の実施形態のジャックコネクタ１を示す斜視図である。図２は、ジャックコネクタ１を示す説明図であり、図２（ａ）は上側カバー２０を斜め下方から見た斜視図であり、図２（ｂ）は上側カバー２０以外を斜め上方から見た斜視図である。図３は、ジャックコネクタ１を示す分解斜視図である。図４は、ジャックコネクタ１を示す平面図である。図５は、図４のＶ−Ｖ線で切断した断面図である。
【００１６】
本実施形態のジャックコネクタ１は、図１〜図５に示すように、下側ハウジング１０と、その上側に取り付けられる上側カバー２０と、下側ハウジング１０に保持される導電端子３０とを備え、図示しないプラグコネクタを収納可能な収納空間１ａが形成されている。
【００１７】
なお、以下の説明を分かりやすくするため、図１のＺ１方向を上方、Ｚ２方向を下方、Ｙ１方向を前方、Ｙ２方向を後方とする。言うまでもなく、ジャックコネクタ１の使用される際の方向を限定するものではない。
【００１８】
下側ハウジング１０は、合成樹脂により形成され、図２および図３に示すように、底部１１および底部１１から上方に立設される一対の側壁部１２、１３と、底部１１から上方に立設される後壁部１４とを有し、上側に上側開放部１０ａが設けられている。下側ハウジング１０の側壁部１２、１３は、それぞれ接合面１２ａ、１３ａを備えている。また、後壁部１４は接合面１４ａを備えている。接合面１２ａ、１３ａ、１４ａは、後述するように、溶着される領域である。
【００１９】
導電端子３０は、導電性の金属により形成され、図２、図３および図５に示すように、下側ハウジング１０の外部に露出する外端部３０ａ、および外端部３０ａから延設され下側ハウジング１０の内部に露出する内端部３０ｂを有している。内端部３０ｂには、前側から後側に向かって収納空間１ａに挿入されるプラグコネクタに弾接可能な弾接部３０ｃが設けられている。さらに、導電端子３０は、内端部３０ｂから下側ハウジング１０の上側に突出するように延設された延設部３０ｄを備えている。
【００２０】
上側カバー２０は、レーザを透過可能な透光性を有する合成樹脂により形成され、図１〜図５に示すように、上側開放部１０ａを塞ぐように下側ハウジング１０の上側に取り付けられる。上側カバー２０は、図２に示すように、天井部２１の外周側から下方に延設された周壁部２２を有し、周壁部２２に当接面２２ａと係止部２２ｂとを備えている。当接面２２ａは、下側ハウジング１０の側壁部１２、１３および後壁部１４に当接する領域である。一方、係止部２２ｂは、周壁部２２に形成された穴であり、図２に示すように当接面２２ａに隣接して設けられている。
【００２１】
本実施形態では、係止部２２ｂに対して、延設部３０ｄの前後方向（Ｙ１−Ｙ２方向）の寸法をわずかに大きく製作されており、上側カバー２０の樹脂に食い込むようにして圧入される。そして、上側カバー２０は、係止部２２ｂに導電端子３０の延設部３０ｄが圧入されるとともに、周壁部２２の当接面２２ａが下側ハウジング１０の側壁部１２、１３および後壁部１４の接合面１２ａ、１３ａ、１４ａにレーザ溶着によって溶着される。
【００２２】
本実施形態のジャックコネクタ１は、収納空間１ａに浸入した水が下側ハウジング１０の外部に露出する導電端子３０の外端部３０ａ側を濡らしてしまうことがないよう、防水性を備えている。なお、この構造は、収納空間１ａに水が浸入しないようにキャップ等で塞ぐ考え方とは異なるものである。
【００２３】
本実施形態のジャックコネクタ１は、収納空間１ａに面している下側ハウジング１０、上側カバー２０、および導電端子３０が水密に接するように設けられている。具体的には、下側ハウジング１０と導電端子３０とが、インサート成形によって形成され、導電端子３０の外端部３０ａと内端部３０ｂとの間で下側ハウジング１０に埋め込まれた埋設部が水密に構成される。さらに、下側ハウジング１０に上側カバー２０がレーザ溶着によって溶着されて水密に構成される。なお、図１に示すように、ジャックコネクタ１の前方側にはフランジ部１ｂが形成され、図示しない弾性部材がフランジ部１ｂに密着されることによって、前側の水密性が保持される。
【００２４】
レーザ溶着を可能にするため、本実施形態では、上側カバー２０がレーザを透過可能な透光性を有する合成樹脂により形成され、下側ハウジング１０が上側カバー２０よりも光吸収性を有する合成樹脂により形成されている。これらの合成樹脂には、例えば、ナイロン樹脂を使用することができる。ナイロン樹脂は、顔料を含有していない場合には乳白色で透光性を有し、着色用の顔料を多く含有している場合は光吸収性を有するとともに、適度な加熱で成形することができる。これにより、上方から照射され上側カバー２０を透過したレーザが下側ハウジング１０に吸収されて、下側ハウジング１０の接合面１２ａ、１３ａ、１４ａを加熱することができる。そして、接合面１２ａ、１３ａ、１４ａと、当接する上側カバー２０の当接面２２ａとの樹脂同士が溶けて接合される。
【００２５】
本実施形態のジャックコネクタ１は、当接面２２ａに隣接して係止部２２ｂが設けられ、導電端子３０の延設部３０ｄが係止部２２ｂに圧入されている。上側カバー２０は、延設部３０ｄが係止部２２ｂに圧入されるとともに下側ハウジング１０に溶着されているので、上側カバー２０の剥がれを防止することができる。したがって、部品点数を増やすことなく上側カバー２０の取付強度を高めることができる。
【００２６】
また、延設部３０ｄが係止部２２ｂに圧入されることにより下側ハウジング１０に上側カバー２０が取り付けられた状態になってから、上側カバー２０を透過したレーザによって溶着されるので、レーザ照射が安定し、良好な溶着が行えるようになる。このため、レーザ溶着によって水密に封止することが容易になる。また、レーザ溶着以外の溶着方法で水密に封止してもよい。
【００２７】
なお、本実施形態のジャックコネクタ１は防水性を備えているものであるが、防水性を必要としない場合には、延設部３０ｄを係止部２２ｂに圧入するだけで上側カバー２０が取り付けられるようにしてもよい。延設部３０ｄが係止部２２ｂに圧入されることによって、部品点数を増やすことなく上側カバー２０を取り付けることができ、その剥がれを防止することができる。また、レーザ溶着等の溶着を用いず、接着材等で接合してもよい。接着材等での接合では劣化により取付強度が低下する懸念があるが、延設部３０ｄが係止部２２ｂに圧入されることによって上側カバー２０の剥がれを防止することができる。したがって、部品点数を増やすことなく上側カバー２０の取付強度を高めることができる。
【００２８】
以下、本実施形態としたことによる効果について説明する。
【００２９】
本実施形態のジャックコネクタ１は、下側ハウジング１０と、下側ハウジング１０の上側に取り付けられる上側カバー２０と、下側ハウジング１０に保持される導電端子３０と、を備え、挿入されるプラグコネクタを収納可能な収納空間１ａが形成されている。下側ハウジング１０は、底部１１および底部１１から上方に立設される一対の側壁部１２、１３を有し、上側に上側開放部１０ａを有している。導電端子３０は、下側ハウジング１０の外部に露出する外端部３０ａおよび外端部３０ａから延設され下側ハウジング１０の内部に露出する内端部３０ｂを有している。そして、導電端子３０は、内端部３０ｂから下側ハウジング１０の上側に突出するように延設された延設部３０ｄを備え、上側カバー２０は、延設部３０ｄが圧入される係止部２２ｂを備えている。
【００３０】
この構成によれば、延設部３０ｄが係止部２２ｂに圧入されることによって上側カバー２０の剥がれを防止することができる。したがって、部品点数を増やすことなく上側カバー２０の取付強度を高めることができる。
【００３１】
また、本実施形態のジャックコネクタ１において、上側カバー２０は、レーザを透過可能な透光性を有する合成樹脂により形成されるとともに、下側ハウジング１０は、上側カバー２０よりも光吸収性を有する合成樹脂により形成されている。そして、上側カバー２０は、延設部３０ｄが圧入されるとともに、下側ハウジング１０に溶着されている。
【００３２】
この構成によれば、上側カバー２０は延設部３０ｄが圧入されるとともにレーザ溶着により下側ハウジング１０に溶着されているので、上側カバー２０の取付強度をより高めることができる。
【００３３】
以上のように、本発明の実施形態のジャックコネクタ１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００３４】
（１）本実施形態において、上側カバー２０は、レーザを透過可能な透光性を有する合成樹脂により形成されるとともに、下側ハウジング１０は、上側カバー２０よりも光吸収性を有する合成樹脂により形成されているとしたが、これに限定されるものではない。例えば、レーザ溶着でなく、超音波溶着によって溶着する場合には、上側カバー２０にも光吸収性を有する合成樹脂を用いることができる。
【００３５】
（２）本実施形態において、上側カバー２０を覆うような金属製の補強部材等を使用していないが、補強部材を用いて上側カバー２０の取付強度をさらに高めるようにしてもよい。
【符号の説明】
【００３６】
１      ジャックコネクタ
１ａ    収納空間
１ｂ    フランジ部
１０    下側ハウジング
１０ａ  上側開放部
１１    底部
１２    側壁部
１２ａ  接合面
１３    側壁部
１３ａ  接合面
１４    後壁部
１４ａ  接合面
２０    上側カバー
２１    天井部
２２    周壁部
２２ａ  当接面
２２ｂ  係止部
３０    導電端子
３０ａ  外端部
３０ｂ  内端部
３０ｃ  弾接部
３０ｄ  延設部
【図１】
0006518083.tif 000002
【図２】
0006518083.tif 000003
【図３】
0006518083.tif 000004
【図４】
0006518083.tif 000005
【図５】
0006518083.tif 000006
【図６】
0006518083.tif 000007